【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
第一の色素化合物として下記一般式（１）及び（２）の少なくとも一方で示される化合物を含み、且つ、第二の色素化合物として下記一般式（３）で示される水不溶性トリフェニルメタン系化合物及び下記一般式（４）で示される水不溶性キサンテン系化合物の少なくとも一方を含んでいることを特徴とする色素体。
2005272823.tif 000001
［式中、Ｒ1-1〜Ｒ1-8は、それぞれ、水素原子、炭素数１〜８個のアルキル基、炭素数１〜８個のアルケニル基、炭素数１〜８個のアルキニル基、又はアラルキル基を示す。又、Ｒ1-1〜Ｒ1-8のうち、同じ窒素原子に結合する２個の基は、互いに結合して、窒素原子と共に５員環、６員環、又は７員環を形成してもよい。又、Ｒ1-1〜Ｒ1-8は、置換基を有していてもよく、Ｒ1-1〜Ｒ1-8及びそれらの置換基は、それぞれ同一であっても、異なっていてもよい。又、式中の芳香族環は、更に置換基を有していてもよい。ｎは、１又は２である。Ｘ1-は、陰イオンを示す。］
2005272823.tif 000002
［式中、Ｒ2-1〜Ｒ2-8は、それぞれ、水素原子、炭素数１〜８個のアルキル基、炭素数１〜８個のアルケニル基、炭素数１〜８個のアルキニル基、又はアラルキル基を示す。又、Ｒ2-1〜Ｒ2-8のうち、同じ窒素原子に結合する２個の基は、互いに結合して、窒素原子と共に５員環、６員環、又は７員環を形成してもよい。又、Ｒ2-1〜Ｒ2-8は、置換基を有していてもよく、Ｒ2-1〜Ｒ2-8及びそれらの置換基は、それぞれ同一であっても、異なっていてもよい。又、式中の芳香族環は、更に置換基を有していてもよい。Ｘ2-は、陰イオンを示す。］
2005272823.tif 000003
［式中、Ｒ9及びＲ10は、それぞれ独立に、水素原子、炭素数１〜５個のアルキル基、アリール基又は置換基としてスルホネート基を有さないアラルキル基を示し、Ｒ11は、水素原子、ハロゲン原子、炭素数１〜５個のアルキル基又は炭素数１〜５個のアルコキシ基を示し、Ｒ12及びＲ13は、それぞれ独立に、水素原子、ハロゲン原子、アルキル基、アルコキシ基、ヒドロキシル基、アミノ基、カルボキシレート基、スルホネート基、カルボン酸エステル基又はカルボキサミド基を示す。Ｒ9〜Ｒ13における、アルキル基、アルコキシ基、アラルキル基、アリール基、アミノ基、カルボン酸エステル基及びカルボキサミド基は、置換基を有してもよい。］
2005272823.tif 000004
［式中、Ｒ14及びＲ15は、それぞれ独立に、水素原子、炭素数１〜５個のアルキル基、置換基としてスルホネート基を有さないアリール基又はアラルキル基を示し、Ｒ16は、水素原子、ハロゲン原子、炭素数１〜５個のアルキル基又は炭素数１〜５個のアルコキシ基を示し、Ｒ17及びＲ18は、それぞれ独立に、水素原子、ハロゲン原子、アルキル基、アルコキシ基、ヒドロキシル基、アミノ基、カルボキレート基、スルホネート基、カルボン酸エステル基又はカルボキサミド基を示す。Ｒ14〜Ｒ18における、アルキル基、アルコキシ基、アラルキル基、アリール基、アミノ基、カルボン酸エステル基及びカルボキサミド基は、置換基を有してもよい。］
【請求項２】
第一の色素化合物の含有量が、第二の色素化合物の１０〜５０質量％である請求項１に記載の色素体。
【請求項３】
第一の色素化合物が、前記一般式（１）で示される化合物である請求項１又は２に記載の色素体。
【請求項４】
第一の色素化合物が、前記一般式（２）で示される化合物である請求項１又は２に記載の色素体。
【請求項５】
更に、高分子化合物を含有している請求項１〜４のいずれか１項に記載の色素体。
【請求項６】
請求項１〜５のいずれか１項に記載の色素体を少なくとも１種含有することを特徴とする水分散液。
【請求項７】
水性媒体及び色材を含有しているインクにおいて、該色材が、下記一般式（１）及び（２）の少なくとも一方で示される化合物と、第二の色素化合物として下記一般式（３）で示される水不溶性トリフェニルメタン系化合物及び下記一般式（４）で示される水不溶性キサンテン系化合物の少なくとも一方を含んでいる色素体であることを特徴とするインク。
2005272823.tif 000005
［式中、Ｒ1-1〜Ｒ1-8は、それぞれ、水素原子、炭素数１〜８個のアルキル基、炭素数１〜８個のアルケニル基、炭素数１〜８個のアルキニル基、又はアラルキル基を示す。又、Ｒ1-1〜Ｒ1-8のうち、同じ窒素原子に結合する２個の基は、互いに結合して、窒素原子と共に５員環、６員環、又は７員環を形成してもよい。又、Ｒ1-1〜Ｒ1-8は、置換基を有していてもよく、Ｒ1-1〜Ｒ1-8及びそれらの置換基は、それぞれ同一であっても、異なっていてもよい。又、式中の芳香族環は、更に置換基を有していてもよい。ｎは、１又は２である。Ｘ1-は、陰イオンを示す。］
2005272823.tif 000006
［式中、Ｒ2-1〜Ｒ2-8は、それぞれ、水素原子、炭素数１〜８個のアルキル基、炭素数１〜８個のアルケニル基、炭素数１〜８個のアルキニル基、又はアラルキル基を示す。又、Ｒ2-1〜Ｒ2-8のうち、同じ窒素原子に結合する２個の基は、互いに結合して、窒素原子と共に５員環、６員環、又は７員環を形成してもよい。又、Ｒ2-1〜Ｒ2-8は、置換基を有していてもよく、Ｒ2-1〜Ｒ2-8及びそれらの置換基は、それぞれ同一であっても、異なっていてもよい。又、式中の芳香族環は、更に置換基を有していてもよい。Ｘ2-は、陰イオンを示す。］
2005272823.tif 000007
［式中、Ｒ9及びＲ10は、それぞれ独立に、水素原子、炭素数１〜５個のアルキル基、アリール基又は置換基としてスルホネート基を有さないアラルキル基を示し、Ｒ11は、水素原子、ハロゲン原子、炭素数１〜５個のアルキル基又は炭素数１〜５個のアルコキシ基を示し、Ｒ12及びＲ13は、それぞれ独立に、水素原子、ハロゲン原子、アルキル基、アルコキシ基、ヒドロキシル基、アミノ基、カルボキシレート基、スルホネート基、カルボン酸エステル基又はカルボキサミド基を示す。Ｒ9〜Ｒ13における、アルキル基、アルコキシ基、アラルキル基、アリール基、アミノ基、カルボン酸エステル基及びカルボキサミド基は、置換基を有してもよい。］
2005272823.tif 000008
［式中、Ｒ14及びＲ15は、それぞれ独立に、水素原子、炭素数１〜５個のアルキル基、置換基としてスルホネート基を有さないアリール基又はアラルキル基を示し、Ｒ16は、水素原子、ハロゲン原子、炭素数１〜５個のアルキル基又は炭素数１〜５個のアルコキシ基を示し、Ｒ17及びＲ18は、それぞれ独立に、水素原子、ハロゲン原子、アルキル基、アルコキシ基、ヒドロキシル基、アミノ基、カルボキレート基、スルホネート基、カルボン酸エステル基又はカルボキサミド基を示す。Ｒ14〜Ｒ18における、アルキル基、アルコキシ基、アラルキル基、アリール基、アミノ基、カルボン酸エステル基及びカルボキサミド基は、置換基を有してもよい。］
【請求項８】
第一の色素化合物の含有量が、第二の色素化合物の１０〜５０質量％である請求項７に記載のインク。
【請求項９】
第一の色素化合物が、前記一般式（１）で示される化合物である請求項７又は８に記載のインク。
【請求項１０】
第一の色素化合物が、前記一般式（２）で示される化合物である請求項７又は８に記載のインク。
【請求項１１】
更に、高分子化合物を含有している請求項７〜１０のいずれか１項に記載のインク。
【請求項１２】
インクジェット用である請求項７〜１１のいずれか１項に記載のインク。
【請求項１３】
請求項１２に記載のインクが収納されたインク収納部を有していることを特徴とするインクタンク。
【請求項１４】
請求項１２に記載のインクが収納されたインク収容部と、該インクの液滴を吐出させるためのヘッド部が設けられていることを特徴とする記録ユニット。
【請求項１５】
請求項１２に記載のインクと、該インクを吐出させるためのインクジェット記録ヘッドを有していることを特徴とするインクジェット記録装置。
【請求項１６】
請求項１２に記載のインクをインクジェット法で被記録媒体に吐出する工程を有することを特徴とするインクジェット記録方法。
【手続補正２】
【補正対象書類名】明細書
【補正対象項目名】０００８
【補正方法】変更
【補正の内容】
【０００８】
上記目的は、本発明にかかる色素体を提供することで達成された。即ち、本発明は、第一の色素化合物として下記一般式（１）及び（２）の少なくとも一方で示される化合物と、第二の色素化合物として下記一般式（３）で示される水不溶性トリフェニルメタン系化合物及び下記一般式（４）で示される水不溶性キサンテン系化合物の少なくとも一方を含んでいることを特徴とする色素体である。
【手続補正３】
【補正対象書類名】明細書
【補正対象項目名】００１０
【補正方法】変更
【補正の内容】
【００１０】
2005272823.tif 000009
［式中、Ｒ2-1〜Ｒ2-8は、それぞれ、水素原子、炭素数１〜８個のアルキル基、炭素数１〜８個のアルケニル基、炭素数１〜８個のアルキニル基、又はアラルキル基を示す。又、Ｒ2-1〜Ｒ2-8のうち、同じ窒素原子に結合する２個の基は、互いに結合して、窒素原子と共に５員環、６員環、又は７員環を形成してもよい。又、Ｒ2-1〜Ｒ2-8は、置換基を有していてもよく、Ｒ2-1〜Ｒ2-8及びそれらの置換基は、それぞれ同一であっても、異なっていてもよい。又、式中の芳香族環は、更に置換基を有していてもよい。Ｘ2-は、陰イオンを示す。］
2005272823.tif 000010
［式中、Ｒ9及びＲ10は、それぞれ独立に、水素原子、炭素数１〜５個のアルキル基、アリール基又は置換基としてスルホネート基を有さないアラルキル基を示し、Ｒ11は、水素原子、ハロゲン原子、炭素数１〜５個のアルキル基又は炭素数１〜５個のアルコキシ基を示し、Ｒ12及びＲ13は、それぞれ独立に、水素原子、ハロゲン原子、アルキル基、アルコキシ基、ヒドロキシル基、アミノ基、カルボキシレート基、スルホネート基、カルボン酸エステル基又はカルボキサミド基を示す。Ｒ9〜Ｒ13における、アルキル基、アルコキシ基、アラルキル基、アリール基、アミノ基、カルボン酸エステル基及びカルボキサミド基は、置換基を有してもよい。］
2005272823.tif 000011
［式中、Ｒ14及びＲ15は、それぞれ独立に、水素原子、炭素数１〜５個のアルキル基、置換基としてスルホネート基を有さないアリール基又はアラルキル基を示し、Ｒ16は、水素原子、ハロゲン原子、炭素数１〜５個のアルキル基又は炭素数１〜５個のアルコキシ基を示し、Ｒ17及びＲ18は、それぞれ独立に、水素原子、ハロゲン原子、アルキル基、アルコキシ基、ヒドロキシル基、アミノ基、カルボキレート基、スルホネート基、カルボン酸エステル基又はカルボキサミド基を示す。Ｒ14〜Ｒ18における、アルキル基、アルコキシ基、アラルキル基、アリール基、アミノ基、カルボン酸エステル基及びカルボキサミド基は、置換基を有してもよい。］